(57)【要約】【課題】主に各種電子機器の操作に用いられるスイッチ装置及びこれを用いたリモコン送信機に関し、簡易な構成で確実な操作が可能なものを提供することを目的とする。【解決手段】スイッチ１のレバー２外周に装着される操作体２４の取付軸２４Ｂ外周に、コイル状のばね２５を巻回してスイッチ装置２６を構成することによって、下端の段差部２４Ｅにばね２５を巻回した取付軸２４Ｂをレバー２外周に圧入するだけで、ワンタッチで装着が行えると共に、ばね２５によって取付軸２４Ｂの中空孔２４Ｃ内周全体が、レバー２外周全体に締付けられて密着し、がたつきがなくなるため、簡易な構成で確実な操作が可能なスイッチ装置及びこれを用いたリモコン送信機を得ることができる。【選択図】図１
2007012286.tif 000002
【特許請求の範囲】
【請求項１】
レバーの傾倒操作に応じて電気的接離を行うスイッチと、下面に突出した略円筒状の取付軸が、上記レバー外周に装着された操作体からなり、上記操作体の取付軸外周にコイル状のばねを巻回したスイッチ装置。
【請求項２】
請求項１記載のスイッチ装置と、このスイッチ装置のスイッチに接続された制御手段からなり、上記制御手段が上記スイッチの電気的接離に応じて、送信手段からリモコン信号を送信するリモコン送信機。
【発明の詳細な説明】
【技術分野】
【０００１】
本発明は、主に各種電子機器の操作に用いられるスイッチ装置及びこれを用いたリモコン送信機に関するものである。
【背景技術】
【０００２】
近年、映像や音響、空調等の各種電子機器の高機能化や多様化が進むなか、これらを操作するスイッチ装置やリモコン送信機においても、多様な操作が行え、かつ確実な操作が可能なものが求められている。
【０００３】
このような従来のスイッチ装置及びこれを用いたリモコン送信機について、図５を用いて説明する。
【０００４】
図５は従来のリモコン送信機の断面図であり、同図において、１はレバー２が絶縁樹脂製のケース３から傾倒可能に上方へ突出したスイッチで、このスイッチ１は、レバー２を前後左右へ傾倒操作することによって、ケース３内に収納された可動接片（図示せず）が複数の固定接片（図示せず）と接離し、その電気信号が端子部から出力されるように形成されている。
【０００５】
そして、４は絶縁樹脂製の操作体で、略円盤状の操作部４Ａ下面には略円筒状の取付軸４Ｂが突出して設けられ、この取付軸４Ｂがスイッチ１のレバー２外周に装着されて、スイッチ装置５が構成されている。
【０００６】
また、６は上下面に複数の配線パターン（図示せず）が形成された配線基板で、この配線基板６上面にスイッチ１が実装され、半田付け等によってスイッチ１の端子部が配線パターンに接続されている。
【０００７】
さらに、７はゴム等のシート状の押圧体で、配線基板６上面に載置され、略ドーム状の薄肉部を有する複数のキー７Ａが設けられると共に、このキー７Ａ下面にはカーボン等によって可動接点８が形成されている。
【０００８】
また、配線基板６上面には、これらの可動接点８と所定の間隙を空けて対向する複数の固定接点９が形成されると共に、配線基板６下面には、発光ダイオード等の電子部品によってリモコン信号を送信する送信手段１０や、配線パターンを介してスイッチ１の端子部や固定接点９に接続された、マイコン等の制御手段１１が形成されている。
【０００９】
そして、１２は絶縁樹脂製の筐体、１３は同じく絶縁樹脂製のカバーで、筐体１２に取付けられたカバー１３の開口孔からは操作体４の操作部４Ａが、筐体１２左方の貫通孔からは押圧体７のキー７Ａが各々上方へ突出すると共に、この筐体１２が配線基板６上面を覆って、リモコン送信機が構成されている。
【００１０】
以上の構成において、操作体４の操作部４Ａを前後左右へ傾倒操作すると、取付軸４Ｂが外周に装着されたレバー２が前後左右へ傾倒され、これに応じてスイッチ１の電気的接離が行われる。
【００１１】
また、所定のキー７Ａを押圧操作すると、略ドーム状の薄肉部が弾性変形して可動接点８が下方へ移動し、固定接点９と接触して、複数の固定接点９の電気的接離が行われる。
【００１２】
そして、この操作体４の傾倒操作やキー７Ａの押圧操作による、スイッチ１や固定接点９の電気的接離に応じて、制御手段１１が送信手段１０から赤外線のリモコン信号を送信し、例えば、キー７Ａの押圧操作によって、テレビやビデオ、エアコン等の音量や温度の増減、或いは選局の切換え等が、また、操作体４の傾倒操作によって、画面に表示されたメニューの選択等の、様々な遠隔操作が行われる。
【００１３】
なお、スイッチ装置５の操作体４を傾倒操作する際、取付軸４Ｂ内周とレバー２外周との隙間が大きいと、レバー２とこれに装着された取付軸４Ｂとの間にがたつきが生じ、操作が不確実なものとなるため、隙間が殆んど０となるようにこれらの寸法を管理するか、或いは、接着剤等によってこれらを固着する必要があるものであった。
【００１４】
また、この出願の発明に関連する先行技術文献情報としては、例えば、特許文献１が知られている。
【特許文献１】特開２０００−２１７１７５号公報
【発明の開示】
【発明が解決しようとする課題】
【００１５】
しかしながら、上記従来のスイッチ装置やリモコン送信機においては、スイッチ１のレバー２と操作体４の取付軸４Ｂのがたつきを防ぎ、スイッチ装置５の確実な傾倒操作を行うには、レバー２とこれに装着される取付軸４Ｂの寸法管理や、これらを接着剤等によって固着する必要があるため、構成部品やスイッチ装置の製作に手間がかかり、高価なものとなるという課題があった。
【００１６】
本発明は、このような従来の課題を解決するものであり、簡易な構成で確実な操作が可能なスイッチ装置及びこれを用いたリモコン送信機を提供することを目的とする。
【課題を解決するための手段】
【００１７】
上記目的を達成するために本発明は、以下の構成を有するものである。
【００１８】
本発明の請求項１に記載の発明は、スイッチのレバー外周に装着される操作体の取付軸外周に、コイル状のばねを巻回してスイッチ装置を構成したものであり、下端にばねを装着した取付軸をレバー外周に圧入するだけで、ワンタッチで装着が行えると共に、ばねによって取付軸内周がレバー外周に締付けられて密着し、がたつきがなくなるため、簡易な構成で確実な操作が可能なスイッチ装置を得ることができるという作用を有する。
【００１９】
請求項２に記載の発明は、請求項１記載のスイッチ装置のスイッチに制御手段を接続し、制御手段がスイッチの電気的接離に応じて、送信手段からリモコン信号を送信するようにしてリモコン送信機を構成したものであり、簡易な構成で確実な操作が可能なリモコン送信機を実現することができるという作用を有する。
【発明の効果】
【００２０】
以上のように本発明によれば、簡易な構成で確実な操作が可能なスイッチ装置及びこれを用いたリモコン送信機を実現できるという有利な効果が得られる。
【発明を実施するための最良の形態】
【００２１】
以下、本発明の実施の形態について、図１〜図４を用いて説明する。
【００２２】
なお、背景技術の項で説明した構成と同一構成の部分には同一符号を付して、詳細な説明を簡略化する。
【００２３】
（実施の形態）
図１は本発明の一実施の形態によるリモコン送信機の断面図、図２は同部分断面図、図３は同部分分解斜視図であり、同図において、１はレバー２が絶縁樹脂製のケース３から傾倒可能に上方へ突出したスイッチで、このスイッチ１は、レバー２を前後左右へ傾倒操作することによって、ケース３内に収納された可動接片（図示せず）が複数の固定接片（図示せず）と接離し、その電気信号が端子部から出力されるように形成されている。
【００２４】
そして、図３に示すように、スイッチ１のレバー２は、下方の円柱部２Ａと上方の半円柱部２Ｂから形成されると共に、このレバー２を左右いずれかへ揺動操作した後、操作力を除くと、ケース３内に装着されたばね（図示せず）等によって、元の中立位置へ自動復帰する、所謂、中立復帰型のものとなっている。
【００２５】
また、２４はポリスチレンやＡＢＳ等の絶縁樹脂製の操作体で、略円盤状の操作部２４Ａ下面には略円筒状の取付軸２４Ｂが突出して設けられ、この取付軸２４Ｂの中空孔２４Ｃ内にレバー２が挿入されて、スイッチ１に操作体２４が装着されている。
【００２６】
そして、この取付軸２４Ｂの中空孔２４Ｃは、図２に示すように、レバー２の形状に合わせ、下方が円柱状に、上方が半円柱状に形成され、レバー２の半円柱部２Ｂと中空孔２４Ｃの半円柱状部が嵌合することで、レバー２に対して操作体２４が回転しないようになっている。
【００２７】
さらに、図３に示すように、取付軸２４Ｂには複数のスリット２４Ｄが設けられると共に、下端には取付軸２４Ｂより小径の段差部２４Ｅが形成され、この段差部２４Ｅ外周には、内径が段差部２４Ｅ外径よりやや小径の、鋼線や銅合金線製でコイル状のばね２５が巻回されて装着されている。
【００２８】
つまり、複数のスリット２４Ｄが形成された段差部２４Ｅが、ばね２５によってレバー２の円柱部２Ａに締付けられ、取付軸２４Ｂの中空孔２４Ｃ内周全体がレバー２の外周全体に密着し、がたつきのない状態で操作体２４がレバー２に装着されて、スイッチ装置２６が構成されている。
【００２９】
なお、取付軸２４Ｂ下端に段差部２４Ｅを設け、この下端の段差部２４Ｅをばね２５でレバー２下方の円柱部２Ａに締付けることによって、取付軸２４Ｂ中間部にばね２５を巻回し、上方の半円柱部２Ｂに締付ける場合に比べ、中空孔２４Ｃ内周全体をより確実にレバー２の外周全体に密着させることのできる構成となっている。
【００３０】
また、このようなスイッチ装置２６は、取付軸２４Ｂ下端の段差部２４Ｅにばね２５を巻回した操作体２４を、上方からレバー２外周に圧入するだけで、操作体２４をレバー２にワンタッチで装着できるため、製作も容易に行えるように形成されている。
【００３１】
そして、６は紙フェノールやガラス入りエポキシ等の配線基板で、上下面に銅箔等によって複数の配線パターン（図示せず）が形成されると共に、図１に示すように、この配線基板６上面にスイッチ１が実装され、半田付け等によってスイッチ１の端子部が配線パターンに接続されている。
【００３２】
また、７はゴムやエラストマー等のシート状の押圧体で、配線基板６上面に載置され、略ドーム状の薄肉部を有する複数のキー７Ａが設けられると共に、このキー７Ａ下面にはカーボン等によって可動接点８が形成されている。
【００３３】
さらに、配線基板６上面には、これらの可動接点８と所定の間隙を空けて対向する複数の固定接点９が形成されると共に、配線基板６下面には、発光ダイオード等の電子部品によってリモコン信号を送信する送信手段１０や、配線パターンを介してスイッチ１の端子部や固定接点９に接続された、マイコン等の制御手段１１が形成されている。
【００３４】
そして、１２は略箱状でポリスチレンやＡＢＳ等の絶縁樹脂製の筐体、１３は同じく絶縁樹脂製のカバーで、筐体１２に取付けられたカバー１３の開口孔からは操作体２４の操作部２４Ａが、筐体１２左方の貫通孔からは押圧体７のキー７Ａが各々上方へ突出すると共に、この筐体１２が配線基板６上面を覆って、リモコン送信機が構成されている。
【００３５】
以上の構成において、操作体２４の操作部２４Ａを前後左右へ傾倒操作すると、取付軸２４Ｂが外周に装着されたレバー２が前後左右へ傾倒され、これに応じてスイッチ１の電気的接離が行われる。
【００３６】
なお、この時、上述したように、操作体２４の取付軸２４Ｂ下端の段差部２４Ｅにはコイル状のばね２５が巻回され、取付軸２４Ｂの中空孔２４Ｃ内周全体がレバー２の外周全体に密着して、操作体２４がレバー２に、がたつき等が生じないように装着されているため、スイッチ１の確実な傾倒操作が行えるように構成されている。
【００３７】
そして、この操作体２４の傾倒操作によるスイッチ１の電気的接離に応じて、制御手段１１が送信手段１０から赤外線のリモコン信号を、テレビやビデオ、エアコン等の機器へ送信し、例えば、画面に表示されたメニューの選択や、画面の拡大や縮小、テープの早送りや巻戻し等の、様々な遠隔操作が行われる。
【００３８】
また、所定のキー７Ａを押圧操作すると、略ドーム状の薄肉部が弾性変形して可動接点８が下方へ移動し、固定接点９と接触して、複数の固定接点９の電気的接離が行われ、これに応じたリモコン信号が送信されて、例えば、テレビやビデオ、エアコン等の音量や温度の増減、或いは選局の切換え等が行われる。
【００３９】
このように本実施の形態によれば、スイッチ１のレバー２外周に装着される操作体２４の取付軸２４Ｂ外周に、コイル状のばね２５を巻回してスイッチ装置２６を構成することによって、下端の段差部２４Ｅにばね２５を巻回した取付軸２４Ｂをレバー２外周に圧入するだけで、ワンタッチで装着が行えると共に、ばね２５によって取付軸２４Ｂの中空孔２４Ｃ内周全体が、レバー２外周全体に締付けられて密着し、がたつきがなくなるため、簡易な構成で確実な操作が可能なスイッチ装置及びこれを用いたリモコン送信機を得ることができるものである。
【００４０】
なお、以上の説明では、取付軸２４Ｂ下端に段差部２４Ｅを設け、この外周にばね２５を巻回する構成について説明したが、図４の部分分解斜視図に示すように、取付軸２４Ｂに複数のスリット２４Ｄを設けると共に、この下端に取付軸２４Ｂより小径の複数の窪部２４Ｆを設け、この窪部２４Ｆにばね２５を巻回して、取付軸２４Ｂをレバー２に締付ける構成としても、本発明の実施は可能である。
【産業上の利用可能性】
【００４１】
本発明によるスイッチ装置及びこれを用いたリモコン送信機は、簡易な構成で確実な操作が可能なものが得られ、主に各種電子機器の操作用として有用である。
【図面の簡単な説明】
【００４２】
【図１】本発明の一実施の形態によるリモコン送信機の断面図
【図２】同部分断面図
【図３】同部分分解斜視図
【図４】同他の実施の形態による部分分解斜視図
【図５】従来のリモコン送信機の断面図
【符号の説明】
【００４３】
１  スイッチ
２  レバー
２Ａ  円柱部
２Ｂ  半円柱部
３  ケース
６  配線基板
７  押圧体
７Ａ  キー
８  可動接点
９  固定接点
１０  送信手段
１１  制御手段
１２  筐体
１３  カバー
２４  操作体
２４Ａ  操作部
２４Ｂ  取付軸
２４Ｃ  中空孔
２４Ｄ  スリット
２４Ｅ  段差部
２４Ｆ  窪部
２５  ばね
２６  スイッチ装置
【図１】
2007012286.tif 000003
【図２】
2007012286.tif 000004
【図３】
2007012286.tif 000005
【図４】
2007012286.tif 000006
【図５】
2007012286.tif 000007